(57)【要約】【課題】開封が簡単で、内容物を取り出しやすく、再封緘も容易な箱を提供する。【解決手段】内蓋板７及び外蓋板８の先端及び基端へ延びる蓋切目線１０ａ，１０ｂと、その終端となる各平側板１の上端から一方の妻側板２との稜部へ至る斜め下向きの長斜切目線１１と、その途中から他方の妻側板２との稜部へ至る斜め下向きの短斜切目線１２とを入れ、また、長斜切目線１１の終端同士及び短斜切目線１２の終端同士を結ぶ折目線１３を入れ、開封に際しては、蓋切目線１０ａ，１０ｂ、長斜切目線１１及び短斜切目線１２を順次切断し、各妻側板２の折目線１３を軸として、三角状の外蓋部１７及び内蓋部１８を外側へ開くように揺動させ、再封緘に際しては、内蓋部１８及び外蓋部１７を順次内側へ閉じるように揺動させ、入れ子にして重ね合わせる。【選択図】図３
2008189372.tif 000002
【特許請求の範囲】
【請求項１】
各一対の平側板(1)及び妻側板(2)を連設して周壁を形成し、妻側板(2)の上端に連設した蓋受片(6)を内側へ折り曲げ、平側板(1)の上端に連設した内蓋板(7)及び外蓋板(8)を貼り合わせて封緘し、開封後に再封緘可能とした箱において、
前記内蓋板(7)及び外蓋板(8)の先端及び基端へ延びる蓋切目線(10a,10b)と、その終端となる各平側板(1)の上端から一方の妻側板(2)との稜部へ至る斜め下向きの長斜切目線(11)と、その途中から他方の妻側板(2)との稜部へ至る斜め下向きの短斜切目線(12)とを入れ、また、長斜切目線(11)の終端同士及び短斜切目線(12)の終端同士を結ぶ折目線(13)を入れ、開封に際しては、蓋切目線(10a,10b)、長斜切目線(11)及び短斜切目線(12)を順次切断し、各妻側板(2)の折目線(13)を軸として、その上方から長斜切目線(11)及び蓋切目線(10a,10b)に亘る三角状の外蓋部(17)と、短斜切目線(12)及び蓋切目線(10a,10b)に亘る三角状の内蓋部(18)とを外側へ開くように揺動させ、再封緘に際しては、内蓋部(18)及び外蓋部(17)を順次内側へ閉じるように揺動させ、入れ子にして重ね合わせることを特徴とする再封緘箱。
【請求項２】
請求項１に記載の再封緘箱において、内蓋部(18)の頂部となる外蓋板(8)の端縁に突起(15)を形成し、外蓋部(17)を形成する蓋受片(6)の先端側に舌部(16)を設け、封緘時に舌部(16)を裏側へ折り曲げておき、再封緘に伴い、突起(15)が舌部(16)に係合して、再封緘状態が維持されるようにしたことを特徴とする再封緘箱。
【発明の詳細な説明】
【技術分野】
【０００１】
この発明は、切目線を切断して開封した後、再封緘できる箱に関するものである。
【背景技術】
【０００２】
従来、この種の再封緘箱として、下記特許文献１には、図６に示すようなものが記載されている。この箱は、各一対の平側板５１及び妻側板５２を連設して周壁を形成し、妻側板５２の上端に連設した蓋受片５３を内側へ折り曲げ、平側板５１の上端に連設した内蓋板５４及び外蓋板５５を貼り合わせて封緘される。
【０００３】
この箱には、一方の平側板５１の上端中間部に下方へ湾曲したミシン目状の切目線５６を入れて指入片５７が設けられ、切目線５６の両端から内蓋板５４との境界の罫線に沿ってその両端までミシン目状の切目線５８が入れられている。
【０００４】
また、一対の妻側板５２には、高さ方向の中間部に折目線５９が全幅に亘って入れられると共に、その両端から上端中央部へかけて山型に折目線６０が入れられ、これを延長して蓋受片５３にも折目線６０が入れられている。
【０００５】
さらに、一対の平側板５１には、妻側板５２の折目線５９に連続する折目線６１が入れられ、その上方にスリット状の差込穴６２が設けられている。
【０００６】
この箱を開封する際には、切目線５６の切断に伴い指入片５７を押し込み、これにより形成された指穴に指を差し込み、貼り合わされた状態の内蓋板５４及び外蓋板５５を引き上げて、切目線５８を切断し、他方の平側板５１との境界を軸に内蓋板５４及び外蓋板５５を開き、天面を開口させる。
【０００７】
また、この箱を再封緘する際には、図７に示すように、折目線６０を谷折して、一対の妻側板５２の折目線５９より上方の部分を上窄まりに折り曲げ、一対の平側板５１の上端を突き合せ、内蓋板５４及び外蓋板５５を下方へ折り曲げて天面の開口を閉じ、指入片５７を差込穴６２に差し込む。
【０００８】
【特許文献１】特開平７−６１４４３号公報
【発明の開示】
【発明が解決しようとする課題】
【０００９】
しかしながら、上記のような箱では、開封に際し、内蓋板５４及び外蓋板５５を大きな力で引き上げて、両側へ水平に延びる切目線５８を切断しなければならず、女性や子供には開封しにくいという問題がある。
【００１０】
また、天面のみが開口し、その開口面積が小さいため、内容物が取り出しにくく、さらに、再封緘する際、指入片５７を差込穴６２に差し込みにくいという問題もある。
【００１１】
そこで、この発明は、開封が簡単で、内容物を取り出しやすく、再封緘も容易な箱を提供することを課題とする。
【課題を解決するための手段】
【００１２】
上記のような課題を解決するため、この発明は、各一対の平側板及び妻側板を連設して周壁を形成し、妻側板の上端に連設した蓋受片を内側へ折り曲げ、平側板の上端に連設した内蓋板及び外蓋板を貼り合わせて封緘し、開封後に再封緘可能とした箱において、内蓋板及び外蓋板の先端及び基端へ延びる蓋切目線と、その終端となる各平側板の上端から一方の妻側板との稜部へ至る斜め下向きの長斜切目線と、その途中から他方の妻側板との稜部へ至る斜め下向きの短斜切目線とを入れ、また、長斜切目線の終端同士及び短斜切目線の終端同士を結ぶ折目線を入れたのである。
【００１３】
そして、開封に際しては、蓋切目線、長斜切目線及び短斜切目線を順次切断し、各妻側板の折目線を軸として、その上方から長斜切目線及び蓋切目線に亘る三角状の外蓋部と、短斜切目線及び蓋切目線に亘る三角状の内蓋部とを外側へ開くように揺動させ、再封緘に際しては、内蓋部及び外蓋部を順次内側へ閉じるように揺動させ、入れ子にして重ね合わせるようにしたのである。
【００１４】
また、内蓋部の頂部となる外蓋板の端縁に突起を形成し、外蓋部を形成する蓋受片の先端側に舌部を設け、封緘時に舌部を裏側へ折り曲げておき、再封緘に伴い、突起が舌部に係合して、再封緘状態が維持されるようにしたのである。
【発明の効果】
【００１５】
この発明に係る再封緘箱は、開封する際、指を掛けて左右に引っ張り、蓋切目線から斜め下方に延びる長斜切目線及び短斜切目線を片方ずつ切断すればよいので、小さな力で外蓋部と内蓋部とを開いて、容易に開封することができる。
【００１６】
そして、開封に伴い、天面から両側面上部まで開口するので、内容物を容易に取り出すことができる。
【００１７】
また、三角状の内蓋部及び外蓋部を入れ子にして重ね合わせるだけで、細かな差し込み等を行うことなく、容易に再封緘することができる。
【発明を実施するための最良の形態】
【００１８】
以下、この発明の実施形態を添付図面に基づいて説明する。
【００１９】
図１に示すように、この再封緘箱の板紙製ブランクでは、各一対の平側板１及び妻側板２が交互に連設され、一方の平側板１の外側には継代片３が連設されている。各妻側板２の下端には底受片４が、各平側板１の下端には底板５がそれぞれ連設され、各妻側板２の上端には蓋受片６が、一方の平側板１の上端には内蓋板７が、他方の平側板１の上端には外蓋板８がそれぞれ連設されている。
【００２０】
外蓋板８及び内蓋板７には、それぞれ半円状の指入部９ａ，９ｂが形成されると共に、指入部９ａ，９ｂから先端側及び基端側へ延びる蓋切目線１０ａ，１０ｂが入れられている。ここで、外蓋板８の指入部９ａは、弧状ミシン目の内側に形成され、蓋切目線１０ａは、鉤形の切目が一直線上に断続する片ジッパとされている。内蓋板７の指入部９ｂは、打抜による貫穴とされ、蓋切目線１０ｂは、端部に繋部を有する全切線とされている。
【００２１】
各平側板１には、蓋切目線１０ａ，１０ｂの終端となる上端の一点から継代片３及び一方の妻側板２との境界へ至る斜め下向きの長斜切目線１１と、その途中から他方の妻側板２との境界へ至る斜め下向きの短斜切目線１２とが入れられ、長斜切目線１１及び短斜切目線１２は、Ｓ字状の切目が断続するジッパとされている。長斜切目線１１は、短斜切目線１２の分岐点まで切目が細かく急角度になっている。
【００２２】
また、各妻側板２及び継代片３には、高さ方向の中間部に、長斜切目線１１及び短斜切目線１２の終端から全幅に亘る押罫の折目線１３が入れられ、各平側板１には、長斜切目線１１と短斜切目線１２の終端同士を結ぶ押罫の折目線１４が入れられている。
【００２３】
ここで、長斜切目線１１の短斜切目線１２との分岐点から終端までの長さＢ１と、短斜切目線１２の長さＢ２とは、平側板１の折目線１４より上方の高さＨと略同一又は高さＨより僅かに小さくなっている。
【００２４】
また、外蓋板８には、短斜切目線１２の終端側の端縁に突起１５が設けられ、その反対側の蓋受片６には、先端側の延長部分に、折り曲げを容易にする切目を入れた折目線を介して舌部１６が設けられている。
【００２５】
このようなブランクを組み立てて、菓子等の商品を包装するには、図２に示すように、各一対の平側板１及び妻側板２を角筒状に折り曲げ、継代片３を反対側の妻側板２に貼り付けて周壁を形成し、底受片４を内側へ折り曲げ、２枚の底板５を折り重ね、貼り合わせて底面を閉止する。
【００２６】
そして、箱の内部に商品を収納し、一方の蓋受片６の舌部１６を裏側へ折り曲げつつ、各蓋受片６を内側へ折り曲げ、内蓋板７及び外蓋板８を順次折り重ね、貼り合わせて封緘する。このように封緘すると、蓋切目線１０ａ，１０ｂが同じ位置で重なり合う。
【００２７】
このように封緘した箱を開封する際には、図３に示すように、指入部９ａを、周縁の繋部を切断しつつ指入部９ｂに押し込み、指入部９ａの基部に指を掛けて引っ張り、蓋切目線１０ａ，１０ｂ及び長斜切目線１１の繋部を切断し、次に、指入部９ｂの端縁に指を掛けて引っ張り、短斜切目線１２の繋部を切断する。
【００２８】
このとき、各妻側板２の折目線１３を軸として、その上方から長斜切目線１１及び蓋切目線１０ａ，１０ｂに亘る三角状の外蓋部１７と、短斜切目線１２及び蓋切目線１０ａ，１０ｂに亘る三角状の内蓋部１８とが外側へ開くように揺動する。
【００２９】
このように開封すると、箱の天面から両側面の上部まで開口するので、内容物を容易に取り出すことができ、例えば、内容物が袋入の菓子である場合、袋を箱から引き出すことなく、袋の上部を切断して、菓子を取り出すことができる。また、開封に際し、引裂帯等のごみが発生することもない。
【００３０】
一方、この箱を再封緘する際には、図４に示すように、各平側板１の上部を折目線１４に沿って内側へ少し折り曲げた状態で、各妻側板２の折目線１３を軸として、内蓋部１８及び外蓋部１７を順次内側へ閉じるように揺動させ、入れ子にして重ね合わせる。これにより、図５に示すように、突起１５が舌部１６に係合して、外蓋部１７及び内蓋部１８の開き方向への揺動が阻止され、再封緘状態が維持される。
【００３１】
このように、上記のような箱では、三角状の内蓋部１８及び外蓋部１７を入れ子にして重ね合わせるだけで、従来の再封緘箱のように、細かな差し込み等を行うことなく、容易に再封緘することができる。
【００３２】
なお、上記実施形態では、押込式の指入部９ａから指を入れて蓋切目線１０ａ，１０ｂを切断することとしたが、蓋切目線１０ａ，１０ｂは、例えば、開封時のごみの発生を許容するならば、２本のジッパから成る両ジッパの引裂帯等として、その摘み部から切断するようにしてもよい。
【００３３】
また、平側板１の幅が広く、妻側板２の幅が狭いものを例示したが、平側板１の幅が狭く、妻側板２の幅が広いものとしてもよい。
【００３４】
また、菓子等の包装に使用される板紙製のシールエンドカートンを例示したが、ビール缶等の重量のある商品を包装する段ボール製のラップラウンドケース等においても、同様の構成を採用することができる。
【図面の簡単な説明】
【００３５】
【図１】この発明の実施形態に係る再封緘箱のブランクを示す図
【図２】同上の封緘状態を示す斜視図
【図３】同上の開封状態を示す斜視図
【図４】同上の再封緘状態を示す斜視図
【図５】同上の係合部分を示す拡大断面図
【図６】従来の再封緘箱の封緘状態を示す斜視図
【図７】同上の再封緘過程を示す斜視図
【符号の説明】
【００３６】
１  平側板
２  妻側板
３  継代片
４  底受片
５  底板
６  蓋受片
７  内蓋板
８  外蓋板
９ａ，９ｂ  指入部
１０ａ，１０ｂ  蓋切目線
１１  長斜切目線
１２  短斜切目線
１３，１４  折目線
１５  突起
１６  舌部
１７  外蓋部
１８  内蓋部
【図１】
2008189372.tif 000003
【図２】
2008189372.tif 000004
【図３】
2008189372.tif 000005
【図４】
2008189372.tif 000006
【図５】
2008189372.tif 000007
【図６】
2008189372.tif 000008
【図７】
2008189372.tif 000009